(57)【要約】【課題】共通の二軸回動連結部材によって、コルターが畝列に沿って左右へ向きを変え、且つ、障害物に当接して上方へ回動する機構を提供する。【解決手段】支柱に結合した支持ブラケットに水平軸受孔を形成したベース部材と；コルター刃を上下方向へ回転可能に枢着した支持フレームの上部に、上方へ延びる直交回転軸を結合したコルター部材と；円筒軸受部外側にこれと直交する水平支軸を一体に形成した二軸回動連結部材と；を備え、前記二軸回動連結部材の水平支軸を前記ベース部材の支持ブラケットの軸受孔に回動可能に軸支するとともに、前記コルター部材の直交回転軸を、前記二軸回動連結部材の円筒軸受部に回転可能に相通し、上方へ貫通させた直交回転軸上部と前記ベース部材間にコルター部材の弾性復帰手段を架設する。【選択図】  図３
2011087551.tif 000002
【特許請求の範囲】
【請求項１】
根菜収穫機の車台ベースブラケットに固着される支柱に一体結合した支持ブラケットに水平軸受孔を形成したベース部材と；上下方向に延在する支持フレームの下端部にコルター刃を上下方向へ回転可能に枢着するとともに、この支持フレームの上部に、上方へ延びる直交回転軸を一体結合したコルター部材と；コルター部材の前記直交回転軸を回転可能に受け入れる垂直方向の円筒軸受部を有し、この円筒軸受部の外側に、この円筒軸受部と直交する水平支軸を一体に形成した二軸回動連結部材と；を備え、前記二軸回動連結部材の水平支軸を前記ベース部材と一体の支持ブラケットの軸受孔に回動可能に軸支するとともに、前記コルター部材の直交回転軸を前記二軸回動連結部材の円筒軸受部を通して上方へ貫通させ、前記コルター部材の直交回転軸上部と前記ベース部材間にコルター部材の弾性復帰手段を設けたことを特徴とする根菜収穫機のコルター部材連結機構
【請求項２】
前記コルター部材の弾性復帰手段が、コルター部材の直交回転軸の上部と前記ベース部材に結合したばね係止アーム間に架設したコイルスプリングであることを特徴とする請求項１記載の根菜収穫機のコルター部材連結機構
【請求項３】
二軸回動連結部材の円筒軸受部外側に回動規制突起を形成するとともに、コルター部材の支持フレーム基部に前記二軸回動連結部材の回動規制突起に係合してコルター部材の直交回転角度を所定範囲に規制する係止部材を設けたことを特徴とする請求項１又は２記載の根菜収穫機のコルター部材連結機構
【発明の詳細な説明】
【技術分野】
【０００１】
本発明はトラクター等に牽引されるビートハーベストなどの根菜収穫機に取付けるコルターの連結機構に関し、詳細には圃場における畝追従機能を改善させたコルター連結機構に関する。
【背景技術】
【０００２】
トラクター等で牽引されるビートハーベスタなどの根菜収穫機は、走行しながら車台の下方に設けたショベル部材で根菜を掘り取り、連設されたコンベアに受け渡され、揚送機を介して車台上のホッパに積み込まれるようになっている。
この種の根菜収穫機は畝の根菜を掘り取り易くするため、ショベル部材前方の畝の左右に進行方向の切れ目を入れるコルター（回転刃）が設けられている。
【先行技術文献】
【特許文献】
【０００３】
【特許文献１】特開２００１−１４５４０１号公報
【発明の開示】
【発明が解決しようとする課題】
【０００４】
近年の根菜収穫期には畝列の曲がりに対して自動追従する機構が搭載されているが、従来のコルターは進行方向に向けて真直ぐに向くように規制して収穫機に取付けられているので収穫機が畝の曲がりに沿って追従する際にコルターの回転枢着部に過大な力が加わり、摩耗や損壊の原因になるだけでなく、円滑な追従が阻害される、という問題があった。
【０００５】
従って、本発明の目的は、根菜収穫機本体が畝の曲がりに沿って追従する際に、コルター自体も左右に適度に向きを変えることにより、コルター取付部に過大な力がかからず、円滑に追従するとともに、共通の一体部材を用いて、コルター刃が土中の障害物に当接したときに、上方へ回動して衝撃を回避する機能を保持したコルター部材連結機構を提供することにある。
【課題を解決するための手段】
【０００６】
上記目的を達成するために、本発明の根菜収穫機のコルター部材連結機構は、根菜収穫機の車台ベースブラケットに固着される支柱に一体結合した支持ブラケットに水平軸受孔を形成したベース部材と；上下方向に延在する支持フレームの下端部にコルター刃を上下方向へ回転可能に枢着するとともに、この支持フレームの上部に、上方へ延びる直交回転軸を一体結合したコルター部材と；コルター部材の前記直交回転軸を回転可能に受け入れる垂直方向の円筒軸受部を有し、この円筒軸受部の外側に、この円筒軸受部と直交する水平支軸を一体に形成した二軸回動連結部材と；を備え、前記二軸回動連結部材の水平支軸を前記ベース部材と一体の支持ブラケットの軸受孔に回動可能に軸支するとともに、前記コルター部材の直交回転軸を前記二軸回動連結部材の円筒軸受部を通して上方へ貫通させ、前記コルター部材の直交回転軸上部と前記ベース部材間にコルター部材の弾性復帰手段を設けたことを特徴とする。
【０００７】
好ましくは、二軸回動連結部材の円筒軸受部外側に回動規制突起を形成するとともに、コルター部材に前記回動規制突起に係合する所定巾の凹部を有する係止部材を結合し、凹部と回動規制突起の遊嵌間隙により直交回転軸の回転角度を規制するようにしてもよい。
【発明の効果】
【０００８】
本発明のコルター部材は、上部の直交回転軸を二軸回動部材の円筒軸受部に水平回動可能に連結するとともに、この二軸回動部材の円筒軸受部外側に突設した水平軸をベース部材の水平軸受孔に上下方向回動可能に枢着してあるので、畝列に円滑に追従し、コルターが畝の曲がりに沿って独立に向きを変え、過大な外力を吸収するため、コルターの損傷や畝の崩壊が防止され、畝への追従性が向上する。
また、コルター部材を装着・支持する二軸回動部材は、円筒軸受部から突出した水平支軸を介してベース部材の水平軸受孔に枢着されているので、進行中のコルターが土中の障害物に当設するとコルター全体がベース部材の前記水平軸受孔を支点として後方へ回動し、強い衝突が回避される。
特に、本発明は、コルター部材の左右首振り作用という機能上の効果にとどまらず、一つの共用部材、すなわち、二軸回動連結部材で、コルター部材の左右方向の回動と、上下方向の回動が可能である点で、部材のコンパクト化、組付けの簡素化などの付加価値が得られる。
【図面の簡単な説明】
【０００９】
【図１】根菜収穫機の全体構成側面図
【図２】図１の要部を示す一部切り欠き拡大図
【図３】コルター連結機構の前方斜視図
【図４】図３実施例のコルター連結機構の裏側斜視図
【図５】図３実施例のコルター連結機構分解図
【発明を実施するための形態】
【００１０】
以下、本発明の実施例を、添付の図面に基づいて説明する。
図１は、トラクター等に牽引されるビートハーベスタなどの根菜収穫機の全体構成を示す側面図、図２は、コルター取付け部の一部切り欠き拡大図である。
根菜収穫機は、１は、車輪２を有する車台３上にホッパ４を搭載し、車台３の下方に掘り取り用のショベル部材５とこの後方に続くコンベア６を設けてあり、矢印方向へ牽引されながら、ショベル部材５でビート等を掘り起こし、コンベア６、回転揚送機７を介してホッパ４内に積み込むようになっている。
【００１１】
図２に示すように、ショベル部材５は、根菜収穫機１の進行に伴って畝の中央線にそって生育しているビート列を掘り起こしていく部材であるが、ショベル部材５前方には、畝の両側に切れ目を入れて掘り起こし易くするための左右一対のコルター部材８が、車台３に結合したブラケット９に取付けられている。
なお、図中、符号１０は畝上に散乱している茎葉を払い除く回転スイーパーである。
【００１２】
図３及び図４に示すように本発明のコルター連結機構は、根菜収穫機１の車台３の下方ブラケット９に固着されるベース部材１１と、コルター刃１３を有するコルター部材８と、このコルター部材８を前記ベース部材１１に連結する二軸回動連結部材１２を備えている。
【００１３】
図５に示すように、ベース部材１１は、車台３のブラケット９（図２参照）のボルト等で結合される支柱１４の下端に、後方へ延びるアーム状の支持ブラケット１５を一体結合してあり、この支持ブラケット１５の先端側に水平軸受孔１６が形成されている。
また、支持ブラケット１５の基部には、後述するバネ３０の一端側を係着させるバネ支持アーム１７が後方斜め上方へ向けて一体に結合されている。
【００１４】
コルター部材８は、図５に示すように、上下方向へ延在する支持フレーム１８の下端部に回転支軸１９を介して前記コルター刃１３を上下方向へ回転可能に枢着するとともに、支持フレーム１８の上端に上方へ垂直に延びる直交回転軸２０が一体結合されている。
なお、コルター部材８の支持フレーム１８の上部に、後方へ向けて取付け金具２１を結合し、コルター刃１３の後方を覆うコンベアガード２２の基端２２´をボルト、ナットで固定し、コルター刃１３及び周辺部材が保護されるようにしてある。
【００１５】
二軸回動連結部材１２は、コルター部材８の前記直交回転軸２０を回動可能に支持する円筒軸受部２３を有するとともに、この円筒軸受部２３の外面にベース部材１１の前記水平軸受孔１６に回動可能に軸支される水平支軸２４が一体に設けられている。
【００１６】
かくして、本発明のコルター連結機構は、二軸回動連結部材１２の水平支軸２４を、ベース部材１１に固定した支持ブラケット１５の水平軸受孔１６に挿入してボルト２５で軸支するとともに、コルター部材８の直交回転軸２０をメタルカラー２６を介して前記二軸回動連結部材１２の円筒軸受部２３を下方へ貫通させ、円筒軸受部２３の上方へ突出した直交回転軸２０の上方からメタルカラー２７、バネフック支持筒２８、バネフック２９を外嵌し、直交回転軸２０の最上部ピン孔にフック止めピン３４を差し入れ、これらの部材を一連に組付ける。
さらに、コルター部材８の直交回転軸２０上部に嵌合したバネフック２９とベース部材１１の前記バネ支持アーム１７間にバネ３０（引っ張りバネ）が架設され、このようにして、コルター連結機構が構成されるが、組付け順序は上記に限るものではない。
【００１７】
本発明のコルター連結機構は、上記のようにコルター部材８の直交回転軸２０と二軸回動連結部材１２の円筒軸受部２３が摺接嵌合されているので、畝列の状態によりコルター刃１３に横方向の過大な抵抗が加わっても、左右首振り機能により向きを変え、畝に沿って円滑に追従するとともに、二軸回動連結部材１２の水平支軸２４とベース部材１１の水平軸受孔１６の軸着により、上下方向へ回動可能に連結されているので、コルター刃１３が進行方向の障害物に当接するとコルター部材８がバネ３０に抗して後方へ回動し、強い衝突が回避される。
なお、コルター部材８の復帰手段は、図の実施例に限らず、後方へ回動したコルター部材を元の位置に戻す機能を備えていれば、他のいかなる構造でもよい。
【００１８】
コルター部材８が無秩序に左右へ回動するとコルター刃１３があらぬ方向へ向き畝列を崩壊させるおそれがある。これを避けるため、二軸回動連結部材１２の円筒軸受部２３の外側面に係止突起３１を設けるとともに、コルター部材８の支持フレーム１８に、上記係止突起３１が所定の隙間を持って係合する凹部３２を備えた係止部材３３を固定してある。この場合、係止突起３１と凹部３２の隙間（遊び）がコルター部材８の左右回動角度を規制することになる
【産業上の利用可能性】
【００１９】
牽引式根菜収穫機の畝列追従性が向上することにより、ビートなどの根菜類の収穫作業効率が向上するとともに、畝列に曲部があってもコルターに過大な抵抗がかからないので、部材の損壊、畝の崩壊といったトラブルが無くなり、農作業に大きく貢献する。
【符号の説明】
【００２０】
１…根菜収穫機
２…車輪
３…車台
４…ホッパ
５…掘り取りショベル部材
６…コンベア
７…回転揚送機
８…コルター部材
９…ブラケット
１０…回転スイーパー
１１…ベース部材
１２…二軸回動連結部材
１３…コルター刃
１４…支柱
１５…支持ブラケット
１６…水平軸受孔
１７…バネ支持アーム
１８…支持フレーム
１９…回転支軸
２０…直交回転軸
２１…金具
２２…コンベアガード
２２´…基端
２３…円筒軸受部
２４…水平支軸
２５…ボルト
２６、２７…メタルカラー
２８…バネフック支持筒
２９…バネフック
３０…バネ
３１…係止突起
３２…凹部
３３…係止部材
３４…フック止めピン
【図１】
2011087551.tif 000003
【図２】
2011087551.tif 000004
【図３】
2011087551.tif 000005
【図４】
2011087551.tif 000006
【図５】
2011087551.tif 000007